(57)【要約】  【課題】  メインシャーシに対してドライブシャーシを回動させる機構に関して、コスト低減を実現できる光ピックアップ装置を提供する。  【解決手段】  メインシャーシ１に軸支された従動ギア５がドライブシャーシ２の上昇方向へ向けて順に互いに同軸上に連結された大歯車５Ａと小歯車５Ｂとより成り、大歯車５Ａにドライブシャーシ２に軸支された駆動ギア４が噛合い、小歯車５Ｂにカムスライダ３のラック３ｂが噛合うようになっている。そして、大歯車５Ａの歯溝のうちの少なくともドライブシャーシ２が最下降した状態で駆動ギア４が噛合う歯溝における下端には、その歯溝を遮る遮断面５Ａｂが形成され、大歯車５Ａの上端面には、ドライブシャーシ２が昇降する際に、カムスライダ３におけるラック３ｂが形成された端部３ａと接触する弧状の突条５Ａｄが形成されている。【選択図】      図７
2006302375.tif 000002
【特許請求の範囲】
【請求項１】
光ディスクが収納されるメインシャーシと、
このメインシャーシに一端近傍の支軸を中心として回動可能に支持され、前記メインシ
ャーシ内に収納された前記光ディスクの記録面に対し、回動することで接近／離間移動す
るように上昇／下降するドライブシャーシと、
このドライブシャーシに軸支され、前記ドライブシャーシの昇降の駆動を司る駆動ギア
と、
前記ドライブシャーシに搭載され、前記駆動ギアに駆動力を与えるモータと、
前記メインシャーシに軸支され、前記駆動ギアと噛合う従動ギアと、
前記ドライブシャーシの他端に設けられた突起に係合するカム溝を有するとともに、端
部に前記支軸と平行なラックを有し、前記メインシャーシに支持されて前記支軸と平行に
スライド移動するカムスライダと、を備え、
前記モータから前記駆動ギアに駆動力が与えられて、互いに噛合う前記駆動ギアと前記
従動ギアとが回転し、その回転する従動ギアに前記カムスライダの前記ラックが噛合うこ
とによって、前記カムスライダがスライド移動し、そのカムスライダのスライド移動に従
い前記ドライブシャーシの前記突起が前記カムスライダの前記カム溝に沿って案内される
ことによって、前記駆動ギアと前記従動ギアとが互いに噛合いつつ摺動しながら、前記ド
ライブシャーシが昇降する光ピックアップ装置であって、
前記メインシャーシに軸支された前記従動ギアがビスによって抜け止めされた光ピック
アップ装置において、
前記ビスを排除するとともに、
前記従動ギアが前記ドライブシャーシの上昇方向へ向けて順に互いに同軸上に連結され
た大歯車と小歯車とより成り、前記大歯車に前記駆動ギアが噛合い、前記小歯車に前記カ
ムスライダの前記ラックが噛合うようになっており、
前記大歯車の歯溝のうちの少なくとも前記ドライブシャーシが最下降した状態で前記駆
動ギアが噛合う歯溝における下端には、その歯溝を遮る遮断面が形成され、
前記大歯車の上端面には、前記ドライブシャーシが昇降する際に、前記カムスライダに
おける前記ラックが形成された前記端部と接触する弧状の突条が形成されていることを特
徴とする光ピックアップ装置。
【請求項２】
光ディスクが収納されるメインシャーシと、
このメインシャーシに一端近傍の支軸を中心として回動可能に支持され、前記メインシ
ャーシ内に収納された前記光ディスクの記録面に対し、回動することで接近／離間移動す
るように上昇／下降するドライブシャーシと、
このドライブシャーシに軸支され、前記ドライブシャーシの昇降の駆動を司る駆動ギア
と、
前記ドライブシャーシに搭載され、前記駆動ギアに駆動力を与えるモータと、
前記メインシャーシに軸支され、前記駆動ギアと噛合う従動ギアと、
前記ドライブシャーシの他端に設けられた突起に係合するカム溝を有するとともに、端
部に前記支軸と平行なラックを有し、前記メインシャーシに支持されて前記支軸と平行に
スライド移動するカムスライダと、を備え、
前記モータから前記駆動ギアに駆動力が与えられて、互いに噛合う前記駆動ギアと前記
従動ギアとが回転し、その回転する従動ギアに前記カムスライダの前記ラックが噛合うこ
とによって、前記カムスライダがスライド移動し、そのカムスライダのスライド移動に従
い前記ドライブシャーシの前記突起が前記カムスライダの前記カム溝に沿って案内される
ことによって、前記駆動ギアと前記従動ギアとが互いに噛合いつつ摺動しながら、前記ド
ライブシャーシが昇降する光ピックアップ装置であって、
前記従動ギアが前記ドライブシャーシの上昇方向へ向けて順に互いに同軸上に連結され
た大歯車と小歯車とより成り、前記大歯車に前記駆動ギアが噛合い、前記小歯車に前記カ
ムスライダの前記ラックが噛合うようになっており、
前記大歯車の歯溝のうちの少なくとも前記ドライブシャーシが最下降した状態で前記駆
動ギアが噛合う歯溝における下端には、その歯溝を遮る遮断面が形成されていることを特
徴とする光ピックアップ装置。
【請求項３】
前記大歯車の上端面には、前記ドライブシャーシが昇降する際に、前記カムスライダに
おける前記ラックが形成された前記端部と接触する突条が形成されていることを特徴とす
る請求項２に記載の光ピックアップ装置。
【発明の詳細な説明】
【技術分野】
【０００１】
本発明は、情報記録媒体であるＣＤやＤＶＤ等の光ディスクに対して情報の再生や記録
を行うための光ピックアップ装置に関する。
【背景技術】
【０００２】
一般に、光ピックアップ装置は、クランプした光ディスクを回転させ、その光ディスク
の記録面にレーザー光を出射してその記録面上に情報を書き込んだり（記録）、更に光デ
ィスクの記録面で反射したレーザー光を受光してその記録面上の情報を読み取ったり（再
生）するものであり、大きくは、メインシャーシと、ドライブシャーシとから外形が構成
される（例えば、特許文献１参照）。メインシャーシには、ディスクトレイが正面から内
外へ挿脱可能に支持されている。そして、メインシャーシの外部へ引き出されたディスク
トレイ上に光ディスクが載置され、そのディスクトレイがメインシャーシの内部へ送り込
まれることによって、メインシャーシ内に光ディスクが収納される。
【０００３】
続いて、ドライブシャーシは、メインシャーシに対し、一端近傍の支軸を中心として回
動可能に支持されている。ドライブシャーシは、光ディスクが収納されたメインシャーシ
に対して回動することで、その光ディスクの記録面に対して接近／離間移動するように上
昇／下降（昇降）し、最上昇した状態で光ディスクがクランプされる。
【０００４】
ここでのドライブシャーシの回動は、以下に示すような構成によって行われる。ドライ
ブシャーシの他端（回動中心となる支軸が配置された側の一端とは反対側の端）には、例
えば円柱状の突起が設けられている。一方メインシャーシには、ドライブシャーシの他端
の外側に、カム溝を有するカムスライダが、ドライブシャーシの回動中心となる支軸と平
行にスライド移動可能に支持されている。そのカムスライダのカム溝に、ドライブシャー
シの上記突起が係合している。そして、カムスライダのスライド移動に従って上記突起が
カム溝に沿って案内され、これによりドライブシャーシが回動する。つまり、ドライブシ
ャーシの回動は、カムスライダのスライド移動に従って行われる。
【０００５】
ここでのカムスライダのスライド移動の駆動は、以下に示すような構成によってなされ
る。ドライブシャーシには、モータが搭載されるとともに、そのモータからギア列を介し
て駆動力が与えられる駆動ギアが軸支されている。一方メインシャーシには、その駆動ギ
アと噛合う従動ギアが軸支されており、その従動ギアは、ビスによって抜け止めされてい
る。また、カムスライダの端部には、スライド移動の方向（ドライブシャーシの回動中心
となる支軸と平行な方向）に延在するラックが形成されている。そのラックには、カムス
ライダが一方の移動端の近傍から他方の移動端の近傍まで移動する間、上記従動ギアが噛
合い、その反面、カムスライダが両移動端に位置しているときには、その従動ギアとの噛
合いが外れるようになっている。
【０００６】
そして、上記モータから駆動ギアに駆動力が与えられて、互いに噛合う駆動ギアと従動
ギアとが回転し、その回転する従動ギアにカムスライダのラックが噛合うことによって、
カムスライダがスライド移動するようになる。こうして、カムスライダがスライド移動し
、そのスライド移動に従いドライブシャーシが昇降する。その際、駆動ギアは、従動ギア
と互いに噛合いつつ摺動しながら、ドライブシャーシと共に昇降する。
【０００７】
また、ドライブシャーシには、光ディスクの記録面に記録されている情報を読み取った
り、その記録面に情報を書き込んだりするための光ヘッドが搭載されている。光ヘッドは
、ドライブシャーシに支持され、光ディスクの記録面に沿う径方向に往復移動するように
なっている。
【０００８】
ここでの光ヘッドの移動の駆動は、ドライブシャーシに搭載されている上記モータから
の駆動力によって行われる。例えば、光ヘッドの側部にスライドラックが取り付けられて
おり、そのスライドラックに、ドライブシャーシに軸支されて上記モータからの駆動力が
伝達される伝達ギアが噛合うことにより、その伝達ギアの回転に従い光ヘッドが移動する
。その際、ドライブシャーシが最上昇した状態であり、カムスライダのラックと上記従動
ギアとの噛合いが外れるとともに、その従動ギアと上記駆動ギアとの噛合いが外れている
。従って、上記モータからの駆動力によって上記駆動ギアは回転する一方、上記従動ギア
及びカムスライダは停止している。
【０００９】
なお、上記モータからの駆動力は、上記ディスクトレイの挿脱移動にも活用される。例
えば、ディスクトレイには、その側部にトレイ用ラックが設けられ、一方メインシャーシ
には、上記モータからの駆動力が上記駆動ギアを介して与えられる上記従動ギアと噛合う
トレイ用伝達ギアが軸支されている。そして、ディスクトレイのトレイ用ラックにトレイ
用伝達ギアが噛合うことにより、そのトレイ用伝達ギアの回転に従いディスクトレイが移
動する。その際、ドライブシャーシが最下降した状態であり、カムスライダのラックと上
記従動ギアとの噛合いが外れている。従って、上記モータからの駆動力によって上記駆動
ギア及び上記従動ギアは回転する一方、カムスライダは停止している。
【００１０】
また、ドライブシャーシには、ドライブシャーシが最上昇した状態で光ディスクをクラ
ンプして回転させるために、光ディスクの中心付近をクランプするターンテーブルや、こ
のターンテーブルに回転力を与えるスピンドルモータが搭載されている。
【特許文献１】特開２００４−２５３１３０号公報
【発明の開示】
【発明が解決しようとする課題】
【００１１】
ところで、近年の光ピックアップ装置には、より一層のコスト低減が求められている。
特に、メインシャーシに対してドライブシャーシを回動させる機構に関しては、従動ギア
の抜け止めに用いられているビスを排除することができれば、その分だけ部品点数の削減
につながるため、光ピックアップ装置のコスト低減を実現できる。
【００１２】
しかし、上記した従来の光ピックアップ装置において、そのビスを単に排除しただけで
は、振動や衝撃によって従動ギアが抜けてしまい、ドライブシャーシの回動やディスクト
レイの挿脱移動が行えなくなる事態が生じる。
【００１３】
そこで本発明は、上記の問題に鑑みてなされたものであり、メインシャーシに対してド
ライブシャーシを回動させる機構に関して、コスト低減を実現できる光ピックアップ装置
を提供することを目的とするものである。
【課題を解決するための手段】
【００１４】
上記目的を達成するため、本発明は、光ディスクが収納されるメインシャーシと、この
メインシャーシに一端近傍の支軸を中心として回動可能に支持され、前記メインシャーシ
内に収納された前記光ディスクの記録面に対し、回動することで接近／離間移動するよう
に上昇／下降するドライブシャーシと、このドライブシャーシに軸支され、前記ドライブ
シャーシの昇降の駆動を司る駆動ギアと、前記ドライブシャーシに搭載され、前記駆動ギ
アに駆動力を与えるモータと、前記メインシャーシに軸支され、前記駆動ギアと噛合う従
動ギアと、前記ドライブシャーシの他端に設けられた突起に係合するカム溝を有するとと
もに、端部に前記支軸と平行なラックを有し、前記メインシャーシに支持されて前記支軸
と平行にスライド移動するカムスライダと、を備え、前記モータから前記駆動ギアに駆動
力が与えられて、互いに噛合う前記駆動ギアと前記従動ギアとが回転し、その回転する従
動ギアに前記カムスライダの前記ラックが噛合うことによって、前記カムスライダがスラ
イド移動し、そのカムスライダのスライド移動に従い前記ドライブシャーシの前記突起が
前記カムスライダの前記カム溝に沿って案内されることによって、前記駆動ギアと前記従
動ギアとが互いに噛合いつつ摺動しながら、前記ドライブシャーシが昇降する光ピックア
ップ装置であって、前記メインシャーシに軸支された前記従動ギアがビスによって抜け止
めされた光ピックアップ装置において、次の点を特徴とする。
【００１５】
前記ビスを排除するとともに、前記従動ギアが前記ドライブシャーシの上昇方向へ向け
て順に互いに同軸上に連結された大歯車と小歯車とより成り、前記大歯車に前記駆動ギア
が噛合い、前記小歯車に前記カムスライダの前記ラックが噛合うようになっている。そし
て、前記大歯車の歯溝のうちの少なくとも前記ドライブシャーシが最下降した状態で前記
駆動ギアが噛合う歯溝における下端には、その歯溝を遮る遮断面が形成され、前記大歯車
の上端面には、前記ドライブシャーシが昇降する際に、前記カムスライダにおける前記ラ
ックが形成された前記端部と接触する弧状の突条が形成されている。
【００１６】
このような構成にすると、ドライブシャーシが最下降した状態では、駆動ギアの歯の端
面が従動ギアの大歯車の遮蔽面に接触して、従動ギアの上昇方向への移動が制限されるよ
うになる。また、ドライブシャーシが昇降する際、及び最上昇した状態では、カムスライ
ダの端部が従動ギアの大歯車の上端面上の突条と接触して、従動ギアの上昇方向への移動
が制限されるようになる。これにより、従動ギアの軸支に従来必要であった抜け止め用の
ビスが無くても、いずれ状況でも従動ギアの抜けが防止されるようになる。
【００１７】
また上記目的を達成するために本発明は、光ディスクが収納されるメインシャーシと、
このメインシャーシに一端近傍の支軸を中心として回動可能に支持され、前記メインシャ
ーシ内に収納された前記光ディスクの記録面に対し、回動することで接近／離間移動する
ように上昇／下降するドライブシャーシと、このドライブシャーシに軸支され、前記ドラ
イブシャーシの昇降の駆動を司る駆動ギアと、前記ドライブシャーシに搭載され、前記駆
動ギアに駆動力を与えるモータと、前記メインシャーシに軸支され、前記駆動ギアと噛合
う従動ギアと、前記ドライブシャーシの他端に設けられた突起に係合するカム溝を有する
とともに、端部に前記支軸と平行なラックを有し、前記メインシャーシに支持されて前記
支軸と平行にスライド移動するカムスライダと、を備え、前記モータから前記駆動ギアに
駆動力が与えられて、互いに噛合う前記駆動ギアと前記従動ギアとが回転し、その回転す
る従動ギアに前記カムスライダの前記ラックが噛合うことによって、前記カムスライダが
スライド移動し、そのカムスライダのスライド移動に従い前記ドライブシャーシの前記突
起が前記カムスライダの前記カム溝に沿って案内されることによって、前記駆動ギアと前
記従動ギアとが互いに噛合いつつ摺動しながら、前記ドライブシャーシが昇降する光ピッ
クアップ装置であって、次の点を特徴とする。
【００１８】
前記従動ギアが前記ドライブシャーシの上昇方向へ向けて順に互いに同軸上に連結され
た大歯車と小歯車とより成り、前記大歯車に前記駆動ギアが噛合い、前記小歯車に前記カ
ムスライダの前記ラックが噛合うようになっており、前記大歯車の歯溝のうちの少なくと
も前記ドライブシャーシが最下降した状態で前記駆動ギアが噛合う歯溝における下端には
、その歯溝を遮る遮断面が形成されている。
【００１９】
このような構成にすると、ドライブシャーシが最下降した状態では、駆動ギアの歯の端
面が従動ギアの大歯車の遮蔽面に接触して、従動ギアの上昇方向への移動が制限されるよ
うになる。また、ドライブシャーシが昇降する際、及び最上昇した状態では、カムスライ
ダの端部が従動ギアの大歯車の上端面と接触して、従動ギアの上昇方向への移動が制限さ
れるようになる。これにより、いずれ状況でも従動ギアの抜けが防止されるようになる。
【００２０】
ここで、実用性を踏まえると、前記大歯車の上端面には、前記ドライブシャーシが昇降
する際に、前記カムスライダにおける前記ラックが形成された前記端部と接触する突条が
形成されていることが好ましい。
【発明の効果】
【００２１】
本発明の光ピックアップ装置によれば、メインシャーシに対してドライブシャーシを回
動させる機構に関して、従動ギアの軸支に従来必要であった抜け止め用のビスが無くても
、振動や衝撃によって従動ギアが抜けてしまうことはない。従って、ビスの分だけ部品点
数の削減につながるため、光ピックアップ装置のコスト低減を実現できる。
【発明を実施するための最良の形態】
【００２２】
以下に、本発明の光ピックアップ装置の一実施形態について、図面を参照しながら詳述
する。図１〜図３はいずれも本発明の一実施形態である光ピックアップ装置の概略上面図
、図４〜図６はいずれもその光ピックアップ装置の要部を透視した概略側面図である。特
に、図１及び図４はメインシャーシに対してドライブシャーシが最下降した状態を示し、
図２及び図５はそのドライブシャーシが昇降している途中の一状態を示し、図３及び図６
はそのドライブシャーシが最上昇した状態を示している。また、図７はその光ピックアッ
プ装置における従動ギアを拡大して示す外観図であって、（ａ）に上面図、（ｂ）に側面
図をそれぞれ示す。
【００２３】
本実施形態の光ピックアップ装置は、大きくは、メインシャーシ１と、ドライブシャー
シ２とから外形が構成される。メインシャーシ１は、例えばポリスチレン（ＰＳ）等の合
成樹脂の成型品であり、このメインシャーシ１には、ディスクトレイ（不図示）が正面（
図１〜図６では下部）から内外へ挿脱可能に支持されている。そして、メインシャーシ１
の外部へ引き出されたディスクトレイ上に光ディスクが載置され、そのディスクトレイが
メインシャーシ１の内部へ送り込まれることによって、メインシャーシ１内に光ディスク
が収納される。
【００２４】
続いて、ドライブシャーシ２は、例えばポリフェニレンエーテル（ＰＰＥ）等の合成樹
脂の成型品であり、メインシャーシ１に対し、一端（図１〜図６では上端）近傍の支軸を
中心として回動可能に支持されている。ドライブシャーシ２は、光ディスクが収納された
メインシャーシ１に対して回動（図１〜図３では紙面に垂直な方向、図４〜図６では紙面
に沿う左右方向に回動）することで、その光ディスクの記録面に対して接近／離間移動す
るように昇降し、最上昇した状態で光ディスクがクランプされる。
【００２５】
ここでのドライブシャーシ２の回動は、以下に示すような構成によって行われる。ドラ
イブシャーシ２の他端２ａ（回動中心となる支軸が配置された方の一端とは反対側の端、
すなわち図１〜図６では下端）には、ダンパ部材を介在してシフトレバーが取り付けられ
ており、このシフトレバーには、例えば円柱状の突起２ｂが設けられている。一方メイン
シャーシ１には、ドライブシャーシ２の他端２ａの外側に、カム溝（不図示）を有するカ
ムスライダ３が、ドライブシャーシ２の回動中心となる支軸と平行にスライド移動可能に
支持されている。そのカムスライダ３のカム溝に、ドライブシャーシ２の突起２ｂが係合
している。そして、カムスライダ３のスライド移動に従って突起２ｂがカム溝に沿って案
内され、これによりドライブシャーシ２が回動する。つまり、ドライブシャーシ２の回動
は、カムスライダ３のスライド移動に従って行われる。
【００２６】
ここでのカムスライダ３のスライド移動の駆動は、以下に示すような構成によってなさ
れる。ドライブシャーシ２には、その側部（図１〜図３では右側の側部）にモータ（不図
示）が搭載されるとともに、その側部側の下端２ａ近傍に、そのモータから直接的に、又
はギア列を介して間接的に駆動力が与えられる駆動ギア４が軸支されている。また、カム
スライダ３の端部３ａ（図１〜図３では右側の端部）には、スライド移動の方向（ドライ
ブシャーシ２の回動中心となる支軸と平行な方向、すなわち図１〜図３では紙面に沿う左
右方向、図４〜図６では紙面に垂直な方向）に延在するラック３ｂが形成されている。
【００２７】
一方メインシャーシ１には、駆動ギア４、及びスライダ３のラック３ｂに隣接して、従
動ギア５が軸支されている。但し、その従動ギア５は、ビスによって抜け止めされている
わけではなく、回転が自由であるし、ドライブシャーシ２の上昇方向（図１〜図３では紙
面に垂直な方向のうちの手前に向く方向、図４〜図６では紙面に沿う左右方向のうちの左
へ向く方向）に移動が自由である。
【００２８】
ここで、本実施形態での従動ギア５は、ドライブシャーシ２の上昇方向へ向けて順に互
いに同軸上に連結された、大歯車５Ａと、小歯車５Ｂと、より成る。これらの大歯車５Ａ
と小歯車５Ｂは、例えばポリアセタール（ＰＯＭ）等の合成樹脂より一体成型されて成る
ものである。そして、大歯車５Ａには駆動ギア４が噛合っている。一方小歯車５Ｂには、
カムスライダ３が一方の移動端の近傍から他方の移動端の近傍まで移動する間、そのラッ
ク３ｂが噛合い、その反面、カムスライダ３が両移動端に位置しているときには、そのラ
ック３ｂとの噛合いが外れるようになっている。
【００２９】
ここでの大歯車５Ａは、ある程度の幅を有し、一周に亘って歯５Ａａが形成されている
。但し、互いに隣接する歯５Ａａ同士の歯溝について、その下端（図１〜図３及び図７（
ａ）では紙面の奥側の端、図４〜図６及び図７（ｂ）では右側の端）には、歯溝を遮る遮
蔽面５Ａｂが形成されている。この遮蔽面５Ａｂは、ドライブシャーシ２が最下降した状
態で大歯車５Ａの歯溝と互いに噛合う駆動ギア４の歯の端面と接触して、大歯車５Ａすな
わち従動ギア５の上昇方向への移動を制限し、これにより従動ギア５の抜けを防止する役
割を果たす。特に本実施形態では、大歯車５Ａの歯溝のうち、ドライブシャーシ２が最下
降した状態で駆動ギア４が噛合う位置での歯溝には少なくとも遮蔽面５Ａｂが形成されて
いる。
【００３０】
また、大歯車５Ａにおいては、その上端（図１〜図３及び図７（ａ）では紙面の手前側
の端、図４〜図６及び図７（ｂ）では左側の端）から所定幅で、ほぼ半周に亘って、歯５
Ａａの形成されていない領域５Ａｃがある。この領域５Ａｃは、ドライブシャーシ２が最
上昇した状態で、駆動ギア４と大歯車５Ａすなわち従動ギア５との噛合いを外す役割を果
たす。
【００３１】
更に、大歯車５Ａの上端面には、同心状で弧状の突条５Ａｄが形成されている。この突
条５Ａｄは、ドライブシャーシ２が昇降する際に、カムスライダ３におけるラック３ｂが
形成された端部３ａと接触しながら、大歯車５Ａすなわち従動ギア５の上昇方向への移動
を制限し、これにより従動ギア５の抜けを防止する役割を果たす。その際、互いの接触面
積が小さいため、過大な接触抵抗が生じることはない。併せて、カムスライダ３の端部３
ａと大歯車５Ａの上端面との距離が確保されるため、カムスライダ３のラック３ｂと大歯
車５Ａの歯５Ａａとが不用意に噛合うこともない。もっとも、突条５Ａｄは、ドライブシ
ャーシ２が最上昇した状態でも、カムスライダ３の端部３ａと接触しており、従動ギア５
の抜けを防止する役割を果たす。
【００３２】
そして、上記モータから駆動ギア４に駆動力が与えられて、互いに噛合う駆動ギア４と
従動ギア５（大歯車５Ａ）とが回転し、その回転する従動ギア５の小歯車５Ｂにカムスラ
イダ３のラック３ｂが噛合うことによって、カムスライダ３がスライド移動するようにな
る。こうして、カムスライダ３がスライド移動し、そのスライド移動に従いドライブシャ
ーシ２が昇降する。その際、駆動ギア４は、従動ギア５の大歯車５Ａと互いに噛合いつつ
その歯５Ａａと摺動しながら、ドライブシャーシ２と共に昇降する。
【００３３】
また、ドライブシャーシ２には、光ディスクの記録面に記録されている情報を読み取っ
たり、その記録面に情報を書き込んだりするための光ヘッド（不図示）が搭載されている
。この光ヘッドは、大きくは、レーザー光を出射する半導体レーザー等の光源、光源から
のレーザー光に基づく光ディスクからの反射光を最終的に受光して検出し電気信号に変換
するフォトダイオード等の光検出器、光源からのレーザー光を光ディスクの反射を経て光
検出器まで導く回折格子やハーフミラーや対物レンズ等の光学系、これらの各部品が取り
付けられたベース部材、より構成される。
【００３４】
その光ヘッドの構成要素であるベース部材は、ドライブシャーシ２に対し、光ディスク
の記録面に沿う径方向に延在するガイド軸やガイドレールに支持されており、その径方向
に往復移動可能になっている。つまり、光ヘッド全体がドライブシャーシ２に支持され、
光ディスクの記録面に沿う径方向に往復移動するようになっている。
【００３５】
ここでの光ヘッドの移動の駆動は、ドライブシャーシ２に搭載されている上記モータか
らの駆動力によって行われる。例えば、光ヘッドにおけるベース部材の側部にスライドラ
ックが取り付けられており、そのスライドラックに、ドライブシャーシ２に軸支されて上
記モータからの駆動力が伝達される光ヘッド用伝達ギアが噛合うことにより、その光ヘッ
ド用伝達ギアの回転に従い光ヘッドが移動する。その際、ドライブシャーシ２が最上昇し
た状態であり、カムスライダ３のラック３ｂと従動ギア５（小歯車５Ｂ）との噛合いが外
れるとともに、その従動ギア５（大歯車５Ａ）と駆動ギア４との噛合いが外れている。従
って、上記モータからの駆動力によって駆動ギア４は回転する一方、従動ギア５及びカム
スライダ３は停止している。
【００３６】
なお、上記モータからの駆動力は、ディスクトレイの挿脱移動にも活用される。例えば
、ディスクトレイには、その側部にトレイ用ラック（不図示）が設けられ、一方メインシ
ャーシ１には、上記モータからの駆動力が駆動ギア４を介して与えられる従動ギア５（大
歯車５Ａ）と噛合うトレイ用伝達ギア（不図示）が軸支されている。そして、ディスクト
レイのトレイ用ラックにトレイ用伝達ギアが噛合うことにより、そのトレイ用伝達ギアの
回転に従いディスクトレイが移動する。その際、ドライブシャーシ２が最下降した状態で
あり、カムスライダ３のラック３ｂと従動ギア５（小歯車５Ｂ）との噛合いが外れている
。従って、上記モータからの駆動力によって駆動ギア４及び従動ギア５は回転する一方、
カムスライダ３は停止している。
【００３７】
また、ドライブシャーシ２には、ドライブシャーシ２が最上昇した状態で光ディスクを
クランプして回転させるために、光ディスクの中心付近をクランプするターンテーブル（
不図示）や、このターンテーブルに回転力を与えるスピンドルモータ（不図示）が搭載さ
れている。
【００３８】
続いて、図１〜図６を参照しながら、一連の動作について説明する。先ず、図１及び図
４に示すように、ドライブシャーシ１が最下降した状態で、ドライブシャーシ２に搭載さ
れたモータからの駆動力によって駆動ギア４が回転し、この駆動ギア４と噛合う大歯車５
Ａ（従動ギア５）が回転する。大歯車５Ａにはトレイ用伝達ギアが噛合っており、このト
レイ用伝達ギアも回転する。トレイ用伝達ギアにはディスクトレイのトレイ用ラックが噛
合っており、トレイ用伝達ギアの回転に従って、光ディスクが載置されたディスクトレイ
がメインシャーシ１の正面から内部へ挿入されていく。その際、カムスライダ３のラック
３ｂと従動ギア５（小歯車５Ｂ）との噛合いは外れており、カムスライダ３は停止してい
る。従って、ドライブシャーシ２も最下降した位置に停止している。ちなみに、メインシ
ャーシ１からのディスクトレイの引出し移動は、そのモータからの逆回転の駆動力によっ
て駆動ギア４、従動ギア５及びトレイ用伝達ギアが逆回転されることで行われる。
【００３９】
ここでは、駆動ギア４と従動ギア５（大歯車５Ａ）とが互いに噛合って回転しているが
、その際、駆動ギア４の歯の端面が大歯車５Ａの遮蔽面５Ａｂに順次接触するようになる
ため、大歯車５Ａすなわち従動ギア５の上昇方向への移動が制限される。これにより従動
ギア５の抜けが防止される。
【００４０】
ディスクトレイが挿入限となる規定位置まで挿入されると、ディスクトレイのトレイ用
ラックがトレイ用伝達ギアから外れ、これにより、ディスクトレイの挿入が完了してメイ
ンシャーシ１への光ディスクの収納が完了する。
【００４１】
一方、カムスライダ３には、スライド移動方向で互いに間隔をあけて突出する突起３ｃ
、３ｄが形成されており、これらの各突起３ｃ、３ｄは、ディスクトレイに形成されてい
る各案内溝（不図示）に係合している。そして、ディスクトレイが挿入限の規定位置に達
する直前に、各突起３ｃ、３ｄが各案内溝からの案内によって押圧され、その結果、カム
スライダ３が若干量スライド移動（図１では右方向にスライド移動）する。これにより、
カムスライダ３のラック３ｂが従動ギア５の小歯車５Ｂに噛合い、カムスライダ３にモー
タからの駆動力が伝達され始める。
【００４２】
引き続きモータからの駆動力によって従動ギア５が回転し、その従動ギア５の回転に従
ってカムスライダ３がそのままスライド移動していく。すると、図２及び図５に示すよう
に、そのカムスライダ３のスライド移動に従ってドライブシャーシ２が上昇していく。
【００４３】
ここでは、駆動ギア４が、従動ギア５の大歯車５Ａと互いに噛合いつつその歯５Ａａと
摺動しながら、ドライブシャーシ２と共に上昇していくが、その際、カムスライダ３の端
部３ａが大歯車５Ａの上端面上の突条５Ａｄと接触するようになるため、大歯車５Ａすな
わち従動ギア５の上昇方向への移動が制限される。これにより従動ギア５の抜けが防止さ
れる。ちなみに、ドライブシャーシ２の下降は、そのモータからの逆回転の駆動力によっ
て駆動ギア４及び従動ギア５が逆回転され、これに従ってカムスライダ３が逆方向（図２
では左方向）へスライド移動することで行われる。
【００４４】
カムスライダ３がスライド限となる規定位置まで移動すると、図３及び図６に示すよう
に、カムスライダ３のラック３ｂが従動ギア５の小歯車５Ｂから外れる。これと併せて、
駆動ギア４が従動ギア５の大歯車５Ａの領域５Ａｃに達して、駆動ギア４と従動ギア５と
の噛合いも外れる。これにより、従動ギア５及びカムスライダ３が停止して、カムスライ
ダ３のスライド移動が完了するとともに、ドライブシャーシ２の上昇が完了する。こうし
て、ドライブシャーシ２が最上昇した位置に達し、これと同時に光ディスクがクランプさ
れる。
【００４５】
また同時に、光ヘッドが内周端位置から離れ、その光ヘッドのスライドラックが光ヘッ
ド用伝達ギアに噛合う。この光ヘッド用伝達ギアは、引き続きモータからの駆動力によっ
て回転し、その光ヘッド用伝達ギアの回転に従って光ヘッドが移動していく。一方、スピ
ンドルモータからの出力によってターンテーブルが回転するとともに、光ディスクが回転
する。そして、モータからの正逆回転の駆動力によって光ヘッド用伝達ギアが正逆回転し
て、光ヘッドが往復移動し、これにより光ディスクの記録面に対する情報の読み書きが行
われる。
【００４６】
ここでは、ドライブシャーシ２が最上昇した位置で停止しているわけであるが、その際
、カムスライダ３の端部３ａが大歯車５Ａの上端面上の突条５Ａｄと接触しているため、
大歯車５Ａすなわち従動ギア５の上昇方向への移動が制限される。これにより従動ギア５
の抜けが防止される。
【００４７】
このような光ピックアップ装置においては、メインシャーシ１に対してドライブシャー
シ２を回動させる機構に関して、ドライブシャーシ２が最下降した状態では、駆動ギア４
の歯の端面が従動ギア５の大歯車５Ａの遮蔽面５Ａｂに接触して、従動ギア５の上昇方向
への移動が制限される。また、ドライブシャーシ２が昇降する際、及び最上昇した状態で
は、カムスライダ３の端部３ａが従動ギア５の大歯車５Ａの上端面上の突条５Ａｄと接触
して、従動ギア５の上昇方向への移動が制限される。これらにより、いずれ状況でも従動
ギア５の抜けが防止されるようになる。つまり、従動ギア５の軸支に従来必要であった抜
け止め用のビスが無くても、振動や衝撃によって従動ギア５が抜けてしまうことはない。
従って、ビスの分だけ部品点数の削減につながるため、光ピックアップ装置のコスト低減
を実現できる。
【００４８】
なお、本発明は上記の実施形態に限定されず、本発明の趣旨を逸脱しない範囲で、種々
の変更が可能である。例えば、従動ギア５の大歯車５Ａの上端面に突条５Ａｄを形成する
ことなく、大歯車５Ａの上端面とカムスライダ３の端部３ａとを直接接触させる構成にし
ても構わない。
【産業上の利用可能性】
【００４９】
本発明は、光ディスクに対して情報の再生や記録を行うための光ピックアップ装置に有
用である。
【図面の簡単な説明】
【００５０】
【図１】本発明の一実施形態である光ピックアップ装置の概略上面図であって、ドライブシャーシが最下降した状態を示す。
【図２】本発明の一実施形態である光ピックアップ装置の概略上面図であって、ドライブシャーシが昇降している途中の一状態を示す。
【図３】本発明の一実施形態である光ピックアップ装置の概略上面図であって、ドライブシャーシが最上昇した状態を示す。
【図４】本発明の一実施形態である光ピックアップ装置の要部を透視した概略側面図であって、ドライブシャーシが最下降した状態を示す。
【図５】本発明の一実施形態である光ピックアップ装置の要部を透視した概略側面図であって、ドライブシャーシが昇降している途中の一状態を示す。
【図６】本発明の一実施形態である光ピックアップ装置の要部を透視した概略側面図であって、ドライブシャーシが最上昇した状態を示す。
【図７】本発明の一実施形態である光ピックアップ装置における従動ギアを拡大して示す外観図である。
【符号の説明】
【００５１】
１    メインシャーシ
２    ドライブシャーシ
３    カムスライダ
３ａ    端部
３ｂ    ラック
４    駆動ギア
５    従動ギア
５Ａ    大歯車
５Ａａ    歯
５Ａｂ    遮蔽面
５Ａｄ    突条
５Ｂ    小歯車
【図１】
2006302375.tif 000003
【図２】
2006302375.tif 000004
【図３】
2006302375.tif 000005
【図４】
2006302375.tif 000006
【図５】
2006302375.tif 000007
【図６】
2006302375.tif 000008
【図７】
2006302375.tif 000009